(57)【要約】　　　（修正有）【課題】シートやプレートに色彩砂で直接絵等を表示するか、または型の凹部または溝に入れた色彩砂をシートやプレートに写して絵等を表示する方法、その方法により絵等を表示したシートやプレート、およびそれらに用いる色彩砂を提供する。【解決手段】プレート１に凹部２または溝で絵等を表示した型３の、凹部２または溝に、粒子の大きさの異なる毎に色彩を異にする色彩砂で埋め、シートまたはプレートの片面の全面または部分に接着材層を設け、その接着材層を型３の凹部２または溝に対向させて型に重ねて押圧し、シートまたはプレートに型３の凹部２または溝の色彩砂を接着させ、シートまたはプレートを型３より剥がすことにより、シートまたはプレートに絵等を写し色彩砂により絵等を表示する。【選択図】　　図１
2004106250.tif 000002
【特許請求の範囲】
【請求項１】
プレートに凹部または溝で絵等等を形成した型の、前記の凹部または溝を色彩砂で埋め、色彩砂で絵等を表示する方法。
【請求項２】
プレートに凹部または溝で絵等等を形成した型の、前記の凹部または溝に接着剤層を設け、その凹部または溝を色彩砂で埋め、該色彩砂を前記凹部または溝に接着させて、該色彩砂で絵等を表示してなるプレート。
【請求項３】
プレートに凹部または溝で絵等等を形成した型の、前記の凹部または溝を色彩砂で埋め、シートまたはプレートの片面の全面または部分に接着剤層を形成し、その接着剤層を前記型の絵等を対向させて前記型と前記接着剤層を形成したシートまたはプレートを重ねて押圧し、前記凹部または溝内の色彩砂を該シートまたはプレートに接着させ、該シートまたはプレートを型より引き外すことにより、該シートまたはプレート上に、色彩砂で前記型の絵等を写し表現することを特徴とするシートまたはプレート上に色彩砂による絵等表示方法。
【請求項４】
色彩砂が、天然の砂、または、貝殻、骨、木、竹、ゴム、金属、セラミック、プラスチックのいずれかを砕いて粒子とした人工砂よりなることを特徴とする請求項１または２に記載の絵等表示方法。
【請求項５】
色彩砂が、粒子の大きさの異なる毎に異なる色彩よりなることを特徴とする請求項１乃至４のいずれかに記載の絵等表示方法。
【請求項６】
骨、木、竹、ゴム、金属、セラミック、プラスチックのいずれかを砕いて複数の大きさの粒子とし、該粒子の色彩を粒子の大きさの異なるもの毎に異なる色彩としたことを特徴とする色彩砂。
【請求項７】
骨、木、竹、ゴム、金属、セラミック、プラスチックのいずれかを砕いて複数の大きさの粒子とし、該粒子の色彩が粒子の大きさの異なるもの毎に異なる色彩とした色彩砂で形成した砂場。
【請求項８】
シートまたはプレートの片面の全面または部分に接着剤層を形成し、前記シートまたはプレートの接着剤層に色彩砂を振り掛け、該色彩砂を前記接着剤層に接着させ前記シートまたはプレート上に色彩砂により絵等を形成する方法。
【発明の詳細な説明】
【０００１】
【発明の属する技術分野】
この発明は、天然または人工の色彩砂を用いてシートやプレート等に文字、記号、模様、絵（これらを絵等と言う）を表示する方法、その方法により絵を表示したシートまたはプレート、およびそれに用いる色彩砂に関するものである。
【０００２】
【従来の技術】
出願人は、特願２００１−２１６０７６により、天然の砂または貝殻を粉砕したものを、粒子の大きさ毎に色彩の異なる着色材で着色した砂を開示した。
また、従来、凹凸模様の有る型に粘土を押しつけて、型の凹凸模様を粘土に反転して写す方法がある。
更にまた、特開平１０−１０２７２３には、天然砂岩の表面の凹凸と同じ凹凸を設けた成形型に、結合剤としての合成樹脂と、着色した骨材、天然砂、天然石の砕砂等よりなる仕上材を充填し、織布、ガラスクロス、合成樹脂製メッシュ等の基材部分を、充填した仕上材に埋め込んだり、または、押しつけて固定し、仕上材が乾燥硬化した段階で成形型より脱型して外装材を形成する方法が記載されている。
【０００３】
【特許文献】
特開　平１０−１０２７２３（第３−４頁、図１−３）
【０００４】
【発明が解決しようとする課題】
上記の着色砂は、材料が天然砂および貝殻に限定されている。また、色彩毎の砂場を作って遊んだり、複数の着色砂を混合して色の変化を楽しむだけで、砂場や地面に着色砂で絵等を画いても、その絵等は直ぐ崩れ固定できない。
従来の型で凹凸を設けた粘土板は、もろく、色彩に乏しいので成形後顔料で彩色する必要があり、その光沢は単純である。また、柔軟製に欠ける。従って用途がかぎられる。
特願平１０−１０２７２３の発明に係る外装材は、天然の砂岩表面と同様に見えるものを形成するのが目的で、絵等を表現するものではない。また、外装材と言う建築材料の形成方法であって、幼児や児童がシートやプレーと上に絵等を形成するのにはふさわしくない。また、結合材と仕上げ材の混合材料は湿性であるので、幼児や児童では被服を汚す等取扱がむつかしい。
この発明は、色彩砂でシートやプレートに直接絵を表示する方法、木、金属、プラスチック、ゴム、セラミック（ガラス、陶磁器、セメントを含む）のプレートで、表面に凹部または溝で絵等を形成した型を用い、その型の凹部または溝に色彩砂をふりかけて接着し絵等を表示すか、または、その型の凹部または溝を色彩すなで埋め、その色彩粒子を布、プラスチック等のシートや木、金属　、プラスチック、ゴム、セラミック等のプレートに付着させて絵等を表示する方法等、容易に、すなわち、幼児や児童でも容易に、絵等を表示できる方法、および、材料が製造や取扱上粒子の大きさ毎に選別し易く、着色もし易い材料の色彩砂を提供することを目的とする。
【０００５】
【課題を解決するための手段】
プレートに凹部または溝で絵等等を形成した型の、前記の凹部または溝を色彩砂で埋め、色彩砂で絵等を表示する。
【０００６】
プレートに凹部または溝で絵等等を形成した型の、前記の凹部または溝に接着剤層を設け、その凹部または溝を色彩砂で埋め、該色彩砂を前記凹部または溝に接着させて、該色彩砂で絵等を表示してなるプレートを作る。
【０００７】
プレートに凹部または溝で絵等等を形成した型の、前記の凹部または溝を色彩砂で埋め、シートまたはプレートの片面の全面または部分に接着剤層を形成し、その接着剤層を前記型の絵等を対向させて前記型と前記接着剤層を形成したシートまたはプレートを重ねて押圧し、前記凹部または溝内の色彩砂を該シートまたはプレートに接着させ、該シートまたはプレートを型より引き外すことにより、該シートまたはプレート上に、色彩砂で前記型の絵等を写し表現する。
【０００８】
色彩砂は、天然の砂、または、貝殻、骨、木、竹、ゴム、金属、セラミック、プラスチックのいずれかを砕いて粒子とした人工砂を用いる。
【０００９】
色彩砂は、粒子の大きさの異なる毎に異なる色彩とするのが好ましい。
【００１０】
骨、木、竹、ゴム、金属、セラミック、プラスチックのいずれかを砕いて複数の大きさの粒子とし、かつ、該粒子の色彩を粒子の大きさの異なるもの毎に異なる色彩とする。
【００１１】
骨、木、竹、ゴム、金属、セラミック、プラスチックのいずれかを砕いて複数の大きさの粒子とし、該粒子の色彩が粒子の大きさの異なるもの毎に異なる色彩とした色彩砂で砂場を形成する。
【００１２】
シートまたはプレートの片面の全面または部分に接着剤層を形成し、前記シートまたはプレートの接着剤層に色彩砂を振り掛け、該色彩砂を前記接着剤層に接着させ前記シートまたはプレート上に色彩砂により絵等を形成する。
【００１３】
【発明の実施の形態】
以下この発明の実施の形態を図面により説明する。
天然砂や、貝殻、骨、木、竹、金属、ゴム、セラミック（ガラス、陶磁器、セメントを含む）、プラスチック、を小粒にした人工砂の一種または複数種のものを着色して複数の色彩砂を設ける。
【００１４】
色彩砂は同一の大きさの粒であってもよいが、異なる大きさのもので、大きさの異なる毎に色彩を異にすれば、複数の色彩砂が混合した時に、メッシュの異なる篩で選り分ける事が出来て好ましい。
【００１５】
色彩砂は、素材の粒子を顔料等着色剤で着色したものか、またはプラスチック、セラミック、ゴムを素材とする色彩砂は、それらの素材形成の際に顔料等着色剤を混合して着色されたものを用い、それを砕いて粒子としたものである。もちろんプラスチック、セラミック、ゴムを素材とするものも、粒子としてから着色剤で着色してもよい。
色彩砂は、素材や粒子に着色しないで、素材そのものの色を用いてもよい。本願においてこれらの粒子も色彩砂という。
なお、透明のプラスチックよりなる粒子も色彩砂に含むものとする。
【００１６】
プラスチック、セラミック、ゴムの着色された素材から色彩砂を作るもの、および金属、竹、木、骨の素材の色を利用するものは、粒子に着色剤で着色するよりも製造が容易で、コストが安い。
【００１７】
前記の色彩砂は、色彩の異なる砂場を形成してもよく、また、地面に色彩砂で線を引いたり、模様や絵を画いてもよい。
粒子の大きさの異なる毎に色彩を変えた色彩砂は、掻き集めてメッシュの大きさの異なる篩で色彩毎の色彩砂に選別し、再使用できる。
【００１８】
また、色彩砂は次のように使用する。
すなわち、図１に示すように木、プラスチック、ゴム、セラミック、金属等のプレート１に絵等を凹部２または溝で形成した型３を形成する。
図中斜線を引いた箇所は凹部２である。
【００１９】
次いで型３の凹部２または溝に、絵等にふさわしい色彩砂を振り掛けて埋める。例えば図１においては、顔や耳の部分にはピンク色、目玉部分は黒、ネクタイ部分は水色の色彩砂を用いる。凹部２または溝外にはみ出た色彩砂は、手や刷毛等で取り除くと、プレート１の表面に色彩砂による絵等が表現する。
プレート１の表面の色彩砂を取り除き、再び同じ色彩の色彩砂を用いて同じ色彩の絵等を表現したり、新たに、先の色彩砂による絵等の色彩砂の色彩の組合せと異なる色彩砂を用いて、色彩の異なる絵等を表現して楽しむことができる。
図２でプレート１で網目で表示した部分は凹部２を色彩砂を埋めた部分を示す。
【００２０】
型３の凹部２または溝に、接着剤を塗付し、絵等にふさわしい色彩砂を振り掛けて埋める。その上からシートまたはプレートを押し当てた後、そのシートまたはプレートを取り除き、型の表面の余分な色彩砂を手または刷毛等で取り除くと、型３のプレーとが色彩砂による絵等を表示したプレートとなる。
そのプレートは飾りや建材等に用いることができる。
【００２１】
また、型３の凹部または溝に接着剤層を形成しないで、型３の凹部または溝を色彩砂で埋めた後に、余分な色彩砂を取り除く。
布、紙、プラスチック等のシート４、または、木、金属、プラスチック、ゴム、セラミック等のプレート５の片面の全面または型３の絵等に対応する部分、好ましくは少し広い目に接着剤層（粘着剤層）を設ける。
そしてそのシート４、またはプレート５の接着剤層を型３の絵等に対向させて、型３とシート４またはプレート５を重ね、シート４またはプレート５を型３側へ押圧する。
【００２２】
次いで、シート４またはプレート５を型３から剥がす。型３の凹部２等にあった色彩砂はシート４またはプレート５に付着し、絵等を表示する。　シート４またはプレート５の表面では、型３の表面で凹部２または溝でなかった部分に対応する部分、図１においては、目、耳、鼻、口、ネクタイの水玉の部分、には色彩砂が付着してないので、必要な場合には、シート４またはプレート５のそれら部分に他の色彩砂、例えば目や水玉部分には白色の色彩粒子、口には赤色の色彩粒子を振り掛け、他のシートやプレートで押さえた後にその他のシートやプレートを取り去り、余分な色彩砂を刷毛等で取り除くのが好ましい。また、絵等を表示したシートやプレートの面で色彩砂が接着していない接着剤層を除去するのが好ましい。
【００２３】
同じ型３を用い、同じ図柄で同じ色彩の絵等を再現したり、絵等の凹部２または溝の部分に前記の場合と異なった色彩砂を埋めることによって、同じ図柄で異なった色彩の絵等を表現できる。
【００２４】
絵等の図柄の異なった型３を複数用意すれば、色々な図柄の絵等を型３またはシート４やプレート５上に表現できる。
【００２５】
高学年の児童や年配者は、型３を用いないで、接着剤層を形成したシート４またはプレート５に、色彩砂を直接播き、他のシートやプレートで押さえた後に、その他のシートやプレートを取り除いて自由な発想の絵等を表現することができる。
【００２６】
上記の方法で、シートやプレートに直接色彩砂をふりかけ表現した絵等、型３に表現した絵等、または、シート４またはプレート５上に移し表現した絵等は、色彩砂により細かい凹凸が形成されているので、光の屈折により、見る角度により微妙な蔭影を楽しむことが出来る。
【００２７】
天然の砂や貝殻を砕いたものを着色した色彩砂、や人工の色彩砂でカラーフルな砂場を造成することができる。
【００２８】
【発明の効果】
この発明に係る色彩砂は、カラフルな砂場を形成することができ、また、地面や、粘着剤層を形成したシートやプレートに絵等を表示することができる。
プレートに絵等を凹部や溝で形成した型を用いることにより、その型の凹部や溝に色彩砂を入れて色彩砂により絵等を表現できる。
型の凹部または溝に接着剤層を形成しておき、その凹部または溝に色彩砂を入れて接着させ、型そのものを色彩砂で絵等を表示したプレートとすることができる。
また、前記型の凹部または溝に色彩砂を入れた後、接着剤層を形成したシートやプレートで押さえることにより、そのシートやプレートに前記色彩砂を移し、誰でも、幼児、児童でも容易にシートやプレートに絵等を移し表現することができる。
粒の大きさが異なり、かつ、大きさの異なるもの毎に色彩を異にする複数の色彩砂を用うれば、それらの色彩粒子が混合しても、メッシュの大きさの異なる篩を用いて分別することが容易である。
ゴム、ゴム、木、竹、金属、セラミックの素材で素材そのものの色彩を利用する色彩砂は製造が容易で、コストが安い。
プラスチック、セラミック、ゴムを素材とする場合には、予め素材を着色しておき、それを所望の大きさの粒子とすれば、製造が容易で、多くの鮮明なまたは所望の色彩の色彩砂を製造できる。
本発明の方法により色彩砂で絵等を表現したシートやプレートは、遊び、飾りや建材等多くの分野に使用できる。
【図面の簡単な説明】
【図１】型の平面図である。
【図２】型を用いて絵等をシートまたはプレートに写す要領の説明図である。
【符号の説明】
１　プレート
２　凹部
３　型
４　シート
５　プレート
【図１】
2004106250.tif 000003
【図２】
2004106250.tif 000004